(57)【要約】【課題】ＣＤ、ＤＶＤ等の光ディスク装置に用いられているディスク回転用モータにおいて、ターンテーブル部の面振れの高精度化、締結方法の簡便化を図ることを目的とする。【解決手段】ロータフレーム５のターンテーブル部４にＶ溝３２あるいは円周上に複数の凹部３４あるいは透孔３５を設けることにより、この部分の機械強度を弱めて、ロータフレーム５の天面を変形容易とし、シャフト８をロータフレーム５に締結後に容易にターンテーブル部４の面振れの矯正を可能とする。【選択図】図１
2007300772.tif 000002
【特許請求の範囲】
【請求項１】
ディスクを搭載するターンテーブルクッションとこのターンテーブルクッションを貼り付けるターンテーブル部とこのターンテーブル部が一体に形成されたカップ状のロータフレームとこのロータフレームの内周に固定されたロータマグネットと前記ロータフレームの中央に固定されたシャフトと前記ターンテーブルクッションと共にディスクを押圧支持するディスク保持部材とを備えるロータ部と、前記シャフトを回転自在に支承する軸受とこの軸受を保持するハウジングとこのハウジングに保持される積層コアとこの積層コアに巻装された巻線と前記ハウジングを保持するブラケットとからなるステータ部とにより構成されるディスク駆動用ブラシレスモータにおいて、前記ロータフレームの天面の前記ターンテーブル部と前記シャフトを固定する部分との間に円周状に強度低減部が形成されたディスク駆動用ブラシレスモータ。
【請求項２】
ロータフレームの強度低減部が円周状の溝である請求項１記載のディスク駆動用ブラシレスモータ。
【請求項３】
ロータフレームの強度低減部が円周状に配列した複数の凹部である請求項１記載のディスク駆動用ブラシレスモータ。
【請求項４】
ロータフレームの強度低減部が円周状に配列した複数の孔である請求項１記載のディスク駆動用ブラシレスモータ。
【発明の詳細な説明】
【技術分野】
【０００１】
本発明は主としてコンパクトディスクやビデオディスク、あるいは磁気ディスク等の情報を記録および再生可能なディスクを、モータのターンテーブルあるいはハブ等に装着して回転駆動するディスク駆動用ブラシレスモータの構造に関するものである。
【背景技術】
【０００２】
図８はＣＤ、ＤＶＤ等の光ディスク装置に用いられているディスク回転用モータの構造の従来例である。ディスク回転用モータはロータ部２９とステータ部３０によって構成されている。その内、ロータ部２９はターンテーブル部１７とヨーク部１９が一体化された一体型ロータフレーム１８、ターンテーブル部１７に貼り付けられ表面を切削されたターンテーブルクッション１６、ターンテーブルクッション１６と共にディスクを押圧支持するディスク保持部材２２、ロータマグネット２０、シャフト２１、抜け止め部材２８等から構成され、ステータ部３０は軸受２３、軸受２３を保持するハウジング２４、巻線２５、積層コア２６、ブラケット２７等から構成されている。
【０００３】
近年、モバイル用途の光ディスク装置の大容量化は飛躍的に進んでおり、これに伴って光ディスクも大容量が求められている。これにより、ディジタル信号を記録するピット形状は微細化が進み、これを再生あるいは記録する装置の機械的精度の要求も非常に厳しくなっている。要求を満たすために、ディスク回転用モータにも高精度が要求されており、課題のひとつにディスクを搭載するターンテーブルクッションの面振れの高精度化がある。面振れ精度が低い場合、光ディスクの読み取り、書き込みエラーの原因となる。
【０００４】
上記課題を解決するために、図８に示す従来のディスク回転用モータにおいてはロータフレーム１８の中央に突設された突状環状部３１の内周のシャフト２１を圧入する部分の寸法を一定の範囲に設定して、シャフト２１をロータフレーム１８の突状環状部３１へ軽圧入により締結することにより、ロータフレーム１８の突状環状部３１の変形を抑制し、シャフト２１と突状環状部３１の内周の径大部に接着材を充填することにより、高い締結強度とターンテーブル部の高い面振れ精度を実現する構成が提案されている。（例えば特許文献１参照）
【特許文献１】特開２００２−１３６０３１号公報（第９頁、図１）
【発明の開示】
【発明が解決しようとする課題】
【０００５】
しかしながら、近年、情報量の大容量化はさらに進み、より高精度なモータが求められており、上記従来の技術の様に締結時に面振れの悪化を抑えるだけでは要求を満たせない状況となってきている。
【課題を解決するための手段】
【０００６】
上記課題を解決するために本発明は、ロータフレーム天面のロータフレームと一体形成されたターンテーブル部とロータフレームのシャフト固定部との間に円周状の強度低減部を設けたものである。
【発明の効果】
【０００７】
請求項１乃至請求項４記載の発明によれば、ロータフレームとシャフトを締結後に、シャフトを基準としてロータフレームの天面の強度低減部を境にターンテーブル部に力を加えることで、締結により生じるシャフトに対するターンテーブル部の傾きと逆方向に、ターンテーブル部と前記ロータフレームの天面の強度低減部よりシャフト固定部側の面との
間に傾きを発生させて、ターンテーブル部のターンテーブルクッションを貼り付ける部分の面がシャフトとほぼ垂直になるように矯正する。これにより、ターンテーブルクッションを貼り付けた後、ターンテーブルクッションのディスク搭載面をシャフトに対して垂直に切削する際に、わずかな切削量で容易に面振れ精度を高精度に仕上げることができるという有利な効果が得られる。また、締結後に上記傾きを矯正することが可能であるので、締結の際に傾きの精度を高める必要が無く、簡便な締結方法でよい。このために生産性の向上が図れる。
【発明を実施するための最良の形態】
【０００８】
以下、本発明の実施の形態について図を参照して説明する。
（実施の形態１）
図１は本発明の実施の形態１に係るモータの構造断面図、図２は本発明の主要部分であるロータフレームの平面図である。図３、図４はロータフレームを矯正する方法を示した図である。
【０００９】
図１においてディスク駆動用ブラシレスモータは、ディスクを搭載するターンテーブルクッション３とこのターンテーブルクッション３を貼り付けるターンテーブル部４とこのターンテーブル部４が一体に形成されたカップ状のロータフレーム５とこのロータフレーム５の円筒状のヨーク部６の内周に固定されたロータマグネット７と前記ロータフレーム５の中央に固定されたシャフト８と前記ターンテーブル部４と共にディスクを押圧支持するディスク保持部材９とを備えるロータ部１と、前記シャフト８を回転自在に支承する軸受１０とこの軸受１０を保持するハウジング１１とこのハウジング１１に保持される積層コア１３とこの積層コア１３に巻装された巻線１２と前記ハウジング１１を保持するブラケット１４とからなるステータ部２と、前記ロータ部１がステータ部２の軸受１０から抜け出すことを防止する抜け止め部材１５とにより構成され、前記ターンテーブル部４には、円周状の溝３２が形成されている。
【００１０】
この溝３２を形成することにより、この溝３２を境に区画されるロータフレーム５の天面のターンテーブル部４とシャフト８の固定部側の面５ａとの間の機械的強度を低減できるので、小さな力でロータフレーム５の天面部分を容易に変形させることができる。従って、例えば受け治具３３により、シャフト８を基準としてロータフレーム５の天面の溝３２を境にターンテーブル部４に力を加えることで、締結により生じるシャフト８に対するターンテーブル部４の傾きと逆方向に、ターンテーブル部４とシャフト８の固定部側の面５ａとの間に傾きを発生させることにより、ターンテーブル部４のターンテーブルクッション３を貼り付ける部分の面をシャフト８と垂直に矯正することができる。従って、これに貼り付けたターンテーブルクッション３のディスク搭載面をシャフト８に対して垂直に切削する際に、わずかな切削量で容易に高精度に面振れ精度を仕上げることができる。溝３２の形状は、Ｖ字あるいは凹字等いずれの形状でも形成した部分の機械的強度が低減できる。これにより、ディスク駆動用ブラシレスモータのターンテーブル部４の面振れの高精度化を図ることが可能となる。
（実施の形態２）
また、図５、図６および図７に示すように、ターンテーブル部４に、円周状に配列した複数の凹部３４あるいは透孔３５を形成することによっても実現可能である。
【００１１】
凹部あるいは透孔のいずれでも形成した部分の機械的強度が低減できる構成で有れば上記効果を奏することができる。
【産業上の利用可能性】
【００１２】
光メディア用スピンドルモータ等、ターンテーブルクッションの面振れの高精度化が求められるモバイル機器用のディスク駆動用ブラシレスモータに有用である。
【図面の簡単な説明】
【００１３】
【図１】本発明の実施の形態１に係るモータの構造断面図
【図２】本発明の実施の形態１に係るロータフレームの平面図
【図３】本発明の実施の形態１に係るロータフレームの矯正の方法を示す図（１）
【図４】本発明の実施の形態１に係るロータフレームの矯正の方法を示す図（２）
【図５】本発明の実施の形態２に係るモータの構造断面図（１）
【図６】本発明の実施の形態２に係るモータの構造断面図（２）
【図７】本発明の実施の形態２に係るロータフレームの平面図
【図８】従来のブラシレスモータの構造断面図
【符号の説明】
【００１４】
１、２９  ロータ部
２、３０  ステータ部
３、１６  ターンテーブルクッション
４、１７  ターンテーブル部
５、１８  ロータフレーム
５ａ  固定部側の面
６、１９  ヨーク部
７、２０  ロータマグネット
８、２１  シャフト
９、２２  ディスク保持部材
１０、２３  軸受
１１、２４  ハウジング
１２、２５  巻線
１３、２６  積層コア
１４、２７  ブラケット
１５、２８  抜け止め部材
３１  突状環状部
３２  溝部
３３  受け治具
３４  凹部
３５  透孔
【図１】
2007300772.tif 000003
【図２】
2007300772.tif 000004
【図３】
2007300772.tif 000005
【図４】
2007300772.tif 000006
【図５】
2007300772.tif 000007
【図６】
2007300772.tif 000008
【図７】
2007300772.tif 000009
【図８】
2007300772.tif 000010